(57)【要約】【課題】ディスクリネーションによる画質劣化を低減する。【解決手段】液晶駆動装置は、入力画像信号から表示画像信号を生成する処理手段６０１と、表示画像信号に応じて、１フレーム期間に含まれる複数のサブフレーム期間のそれぞれにおいて液晶表示素子の画素に印加する電圧を第１の電圧と該第１の電圧より低い第２の電圧とに制御することで該画素に階調を表示させる駆動手段６０２とを有する。処理手段は、液晶表示素子における対象画像領域内の階調差を平滑化する平滑化処理を行う。平滑化処理は、階調のフルスケール値の３％以下の階調差を平滑化する。【選択図】図２
2019061099.tif 000002
【特許請求の範囲】
【請求項１】
入力画像信号から表示画像信号を生成する処理手段と、
前記表示画像信号に応じて、１フレーム期間に含まれる複数のサブフレーム期間のそれぞれにおいて前記液晶表示素子の画素に印加する電圧を第１の電圧と該第１の電圧より低い第２の電圧とに制御することで該画素に階調を表示させる駆動手段とを有し、
前記処理手段は、前記入力画像信号における対象画像領域内の階調差を平滑化する平滑化処理を行い、
前記平滑化処理は、前記階調のフルスケール値の３％以下の前記階調差を平滑化することを特徴とする液晶駆動装置。
【請求項２】
前記平滑化処理は、前記対象画像領域内における最大階調と最小階調との差が前記フルスケール値の３％以下である場合に、前記対象画像領域内の全画素の階調を該対象画像領域内の平均階調に置き換える処理であることを特徴とする請求項１に記載の液晶駆動装置。
【請求項３】
前記平滑化処理は、前記フルスケール値の２％以下の階調差を平滑化することを特徴とする請求項１または２に記載の液晶駆動装置。
【請求項４】
前記駆動手段は、前記対象画像領域において互いに隣接する２つの画素のうち一方に前記第１の電圧が印加され、他方に前記第２の電圧が印加された１または２以上の前記サブフレームの合計時間が０．３ｍｓ以上であるときに前記平滑化処理を行うことを特徴とする請求項１から３のいずれか一項に記載の液晶駆動装置。
【請求項５】
前記駆動手段は、前記対象画像領域において前記平滑化処理を行うとともに、１フレーム期間ごとに変化する階調オフセット量を与えることを特徴とする請求項１から４のいずれか一項に記載の液晶駆動装置。
【請求項６】
前記駆動手段は、前記対象画像領域において前記平滑化処理を行うとともに、１フレーム期間ごとに前記対象画像領域の位置を異ならせることを特徴とする請求項１から４のいずれか一項に記載の液晶駆動装置。
【請求項７】
液晶表示素子と、
請求項１から６のいずれか一項に記載の液晶駆動装置とを有することを特徴とする画像表示装置。
【請求項８】
液晶表示素子を駆動するコンピュータに、入力画像信号から表示画像信号を生成する画像信号処理と、前記表示画像信号に応じて、１フレーム期間に含まれる複数のサブフレーム期間のそれぞれにおいて前記液晶表示素子の画素に印加する電圧を第１の電圧と該第１の電圧より低い第２の電圧とに制御することで該画素に階調を表示させる処理とを行わせるコンピュータプログラムであって、
前記画像信号生成処理において、前記コンピュータに、前記入力画像信号における対象画像領域内の階調差を平滑化する平滑化処理を行わせ、
前記平滑化処理は、前記階調のフルスケール値の３％以下の前記階調差を平滑化することを特徴とする液晶駆動プログラム。
【発明の詳細な説明】
【技術分野】
【０００１】
本発明は、プロジェクタや直視型ディスプレイ等の画像表示装置において、デジタル駆動方式（パルス幅変調方式）により液晶表示素子を駆動する液晶駆動装置に関する。
【背景技術】
【０００２】
パルス幅変調方式は、１フレーム期間を複数のサブフレーム期間に分割し、それぞれのサブフレーム期間における液晶画素への所定電圧の印加（ＯＮ）と非印加（ＯＦＦ）を制御することで階調を表現する液晶駆動方式である。例えば８ｂｉｔ（２５６）階調を表現する場合は、図１４に示すように、１フレーム期間をそれぞれ時間幅（ｉ＝０〜７として２ｉに比例する時間幅）が異なる８つのサブフィールド期間に分割する。そして、それぞれのサブフィールド期間において、表示する階調に応じて液晶画素をＯＮ（白表示状態）とするかＯＦＦ（黒表示状態）とするかを制御する。このような重み付けサブフィールド駆動により、１フレーム期間で白が表示される総和時間を２５６段階に変更することができ、この結果、２５６段階の階調を表現することができる。
【０００３】
ところで、パルス幅変調方式でマイクロディスプレイタイプの液晶表示素子を駆動すると、ディスクリネーションと呼ばれる液晶配向の乱れによる暗線が生じ、画質が低下する。例えば、図１５に示す風景映像における青空のように階調が滑らかに変化するグラデーション領域では、ディスクリネーションにより疑似輪郭２１が生じる場合がある。
【０００４】
疑似輪郭２１を含む領域２２では、例えば、図１６（ａ），（ｂ）のそれぞれに示すパルス幅変調パターンで重み付けサブフィールド駆動が行われる１２７階調の液晶画素と１２８階調の液晶画素とが隣接している。このように、白表示状態３１の液晶画素と黒表示状態３２の液晶画素とが長時間隣接すると、一方の画素に図１７（ａ），（ｂ）で示すようなディスクリネーションによる暗線が発生し、これが疑似輪郭として映像内に現れる。
【０００５】
特許文献１には、動画表示の際に発生する疑似輪郭による画質劣化を低減するために、入力映像にチェッカー状の微小なレベルオフセットパターンを重畳する方法が開示されている。
【先行技術文献】
【特許文献】
【０００６】
【特許文献１】特開平１０−３１９９０５号公報
【発明の概要】
【発明が解決しようとする課題】
【０００７】
しかしながら、特許文献１にて開示された方法は、ディスクリネーションにより発生する疑似輪郭による画質劣化の低減を目的としたものではない。しかも、特許文献１にて開示された方法を、図１５に示したようなグラデーション領域に適用すると、かえってディスクリネーションによる画質劣化を増大させてしまうおそれがある。
【０００８】
本発明は、ディスクリネーションによる画質劣化を低減することができるようにした液晶駆動装置およびこれを用いた画像表示装置を提供する。
【課題を解決するための手段】
【０００９】
本発明の一側面としての液晶駆動装置は、入力画像信号から表示画像信号を生成する処理手段と、表示画像信号に応じて、１フレーム期間に含まれる複数のサブフレーム期間のそれぞれにおいて液晶表示素子の画素に印加する電圧を第１の電圧と該第１の電圧より低い第２の電圧とに制御することで該画素に階調を表示させる駆動手段とを有する。処理手段は、入力画像信号における対象画像領域内の階調差を平滑化する平滑化処理を行う。平滑化処理は、階調のフルスケール値の３％以下の階調差を平滑化することを特徴とする。
【００１０】
なお、液晶表示素子と上記液晶駆動装置とを有する液晶表示装置も本発明の他の一側面を構成する。
【００１１】
また、本発明の他の一側面としての液晶駆動プログラムは、液晶表示素子を駆動するコンピュータに、入力画像信号から表示画像信号を生成する画像信号処理と、表示画像信号に応じて、１フレーム期間に含まれる複数のサブフレーム期間のそれぞれにおいて液晶表示素子の画素に印加する電圧を第１の電圧と該第１の電圧より低い第２の電圧とに制御することで該画素に階調を表示させる処理とを行わせるコンピュータプログラムである。画像信号生成処理において、コンピュータに、入力画像信号における対象画像領域内の階調差を平滑化する平滑化処理を行わせる。平滑化処理は、階調のフルスケール値の３％以下の階調差を平滑化することを特徴とする。
【発明の効果】
【００１２】
本発明によれば、ディスクリネーションによる画質劣化を低減することができる。
【図面の簡単な説明】
【００１３】
【図１】本発明の実施例１である液晶プロジェクタの使用例を示す図。
【図２】実施例１の液晶プロジェクタの構成を示すブロック図。
【図３】実施例１および実施例２における映像処理部の構成を示す図。
【図４】実施例１におけるノイズフィルタ処理を示すフローチャート。
【図５】実施例１におけるノイズフィルタ処理の効果を説明する図。
【図６】本発明の実施例２におけるノイズフィルタ処理を示すフローチャート。
【図７】イプシロンフィルタを説明する図。
【図８】本発明の実施例３における映像処理部の構成を示すブロック図。
【図９】実施例３におけるノイズフィルタ処理と階調オフセット処理を示すフローチャート。
【図１０】実施例３における階調オフセット処理の効果を説明する図。
【図１１】実施例３における信号処理による疑似輪郭の拡散を説明する図。
【図１２】本発明の実施例４におけるノイズフィルタ処理を示すフローチャート。
【図１３】実施例４におけるノイズフィルタ処理の効果を説明する図。
【図１４】パルス幅変調方式を説明する図。
【図１５】疑似輪郭の発生例を示す図。
【図１６】疑似輪郭が発生するときの液晶画素の重み付けサブフィールド駆動を示す図。
【図１７】ディスクリネーションの発生例を示す図。
【図１８】各実施例における液晶表示素子のＰＷＭ駆動を示す図。
【発明を実施するための形態】
【００１４】
以下、本発明の実施例について図面を参照しながら説明する。ディスクリネーションにより発生する疑似輪郭による画質劣化を抑制するために、従来は画像の明るさを低下させたり黒のレベルを上げたりシャープネスを低下させたりするという別の画質劣化を招く方法が採用されていた。これに対して、本発明の実施例では、そのような別の画像劣化を招くことなく、ディスクリネーションにより発生する疑似輪郭による画質劣化を抑制する方法について説明する。
【実施例１】
【００１５】
図１は、本発明の実施例１である画像表示装置としての液晶プロジェクタ５１の使用態様の一例を示している。画像供給装置としてのビデオプレーヤ５２から出力された画像信号は、ビデオケーブル５３を介して液晶プロジェクタ５１に入力される。液晶プロジェクタ５１は、入力された画像信号（入力画像信号）に基づいて不図示の光源からの光を変調してスクリーン等の被投射面５４に投射する。これにより、ユーザが観賞する投射画像５５が表示される。
【００１６】
図２は、液晶プロジェクタ５１の構成を示す。処理手段としての映像処理部６０１は、液晶プロジェクタ５１に入力された画像信号（入力画像信号）に対して平滑化処理としてのノイズフィルタ処理を行う。また、映像処理部６０１は、ノイズフィルタ処理後の画像信号に対してブライトネス補正、コントラスト補正、ガンマ変換および色変換等の他の画像処理を行って表示画像信号を生成する。
【００１７】
映像処理部６０１から出力された表示画像信号は、駆動手段としてのＰＷＭ変換部６０２に入力される。ＰＷＭ変換部６０２は、表示画像信号の階調情報に応じて液晶表示素子６０３の各液晶画素のパルス幅変調パターンを生成して液晶表示素子６０３に出力する。
【００１８】
パルス幅変調パターンは、各液晶画素の重み付けサブフィールド駆動を行うときのサブフィールドごとのＯＮとＯＦＦの組み合わせを示す。より詳しく説明すると、ＰＷＭ変換部６０２は、図１８に示すように、液晶表示素子６０３が１フレーム画像を表示する１フレーム期間を複数のサブフレーム期間に分割する。そして、表現する階調に応じて、複数のサブフレーム期間のそれぞれにおける液晶画素への電圧印加のＯＮ／ＯＦＦパターン（ＰＷＭ駆動パターン）を生成し、該ＯＮ／ＯＦＦパターンに従って液晶画素への電圧印加を制御する。ＯＮ／ＯＦＦパターンにおけるＯＮでは液晶素子２０４に所定電圧としての第１の電圧が印加され、ＯＦＦでは第１の電圧より低い第２の電圧が液晶素子２０４に印加される。これにより、液晶表示素子６０３のデジタル駆動（ＰＭＷ駆動）としての重み付けサブフィールド駆動が行われる。映像処理部６０１とＰＷＭ変換部６０２とにより液晶駆動装置が構成される。
【００１９】
各液晶表示素子６０３は、パルス幅変調パターンに応じた重み付けサブフィールド駆動が行われることにより光源６０４から発せられて照明光学系６０５を通過した光を変調する。
【００２０】
照明光学系６０５は、光源６０４からの発散光を平行光に変換するとともに、所定の偏光方向を有する偏光光に変換する。液晶表示素子６０３により変調された光は、投射光学系６０６を介してスクリーン等の被投射面に投射される。液晶表示素子６０３は、赤（Ｒ）、緑（Ｇ）および青（Ｂ）のそれぞれに対して１つずつ設けられている。Ｒ、ＧおよびＢ用の液晶表示素子６０３には、照明光学系６０５を通過した後に不図示の色分離光学系により分離されたＲ光、Ｇ光およびＢ光がそれぞれ入射する。
【００２１】
コンピュータとしてのＣＰＵ６０７は、映像処理部６０１、ＰＷＭ変換部６０２および光源６０４を制御する。
【００２２】
図３は、映像処理部６０１内に設けられたノイズフィルタ処理ブロック７１を示している。映像処理部６０１はノイズフィルタ処理ブロック７１の後段に、上記他の画像処理を行う他の処理ブロックも有するが、図にはノイズフィルタ処理ブロック７１のみを示している。また、本実施例ではノイズフィルタ処理ブロック７１がハードウェアとしての信号処理ＩＣにより構成される場合について説明するが、ソフトウエアにより構成されてもよい。
【００２３】
図４のフローチャートを用いて、ノイズフィルタ処理ブロック７１が行う平滑化処理としてのノイズフィルタ処理について説明する。ここでは、入力画像信号が８ｂｉｔ（２５６階調）画像を示す画像信号である場合について説明する。このことは後述する他の実施例でも同じである。
【００２４】
ＳＴＥＰ８０１では、ノイズフィルタ処理ブロック７１は、入力画像信号が示す８ｂｉｔ画像をそれぞれ垂直４画素×水平４画素の矩形領域である複数の小画像領域に分割する。さらにノイズフィルタ処理ブロック７１は、各小画像領域内（対象画像領域内）の１６画素の階調のうち最大階調と最小階調を検出する。
【００２５】
次にＳＴＥＰ８０２では、ノイズフィルタ処理ブロック７１は、検出した最大階調と最小階調の差分が所定値以下か否かを判定する。ここにいう所定値は、例えば８ｂｉｔ画像における４階調（８ｂｉｔ画像の階調のフルスケール値の１．６％）とする。４階調以下の差であれば、その小画像領域を重要度が低い（すなわち有意ではない）微小なノイズ成分を含んだフラットな画像領域とみなすことができる。すなわち、本ステップでは、ノイズフィルタ処理ブロック７１は、各小画像領域がフラットな画像領域か否かを判定する。
【００２６】
小画像領域のサイズや形状および所定値は、上述したものに限らず、変更してもよい。所定値を階調のフルスケール値の３％（８ｂｉｔ画像の７階調）とした場合に最大階調と最小階調の差分が該所定値より小さければ、その小画像領域を概ね上述したノイズ成分を含んだフラットな画像領域とみなすことができる。より確実にノイズ成分を含んだフラットな画像領域であると判定するためには、所定値を階調のフルスケール値の２％（８ｂｉｔ画像の５階調）としてもよい。
【００２７】
なお、１０ｂｉｔ（１０２４階調）画像の３％および２％はそれぞれ３０階調および２０階調に相当し、１２ｂｉｔ（４０９６階調）画像の３％および２％はそれぞれ１２２階調および８１階調に相当する。
【００２８】
一般に、最大階調と最小階調の差分が階調のフルスケール値の５％以上である場合は、その小画像領域は有意な階調差を有する非フラットな画像領域とされる。これに対して、本実施例では、小画像領域が有意ではないノイズとしての階調差を有するにすぎないフラットな画像領域であるか否かを判定する。
【００２９】
ＳＴＥＰ８０２でいずれかの小画像領域がフラットな画像領域であると判定したノイズフィルタ処理ブロック７１は、ＳＴＥＰ８０３において該小画像領域の平均階調を算出する。そして、該小画像領域内の全画素の階調を、算出した平均階調に置き換えて後段の他の処理ブロックに出力する。一方、小画像領域がフラットな画像領域ではないと判定したノイズフィルタ処理ブロック７１は、該小画像領域の平均階調を求めることなくそのままの階調を後段の他の処理ブロックに出力する。
【００３０】
次に、上述したノイズフィルタ処理を行うことにより、ディスクリネーションによる疑似輪郭を低減することができる理由を説明する。図５（ａ）は、入力画像信号のうち図１３に示した疑似輪郭が発生した領域２２の階調を解析した結果を示す。この領域２２は、下から上に向かって階調がゆるやかに上昇するグラデーション状の画像領域であるが、この階調の本来の変化に加えて１〜２階調程度の小さな振幅や高空間周波数のノイズ成分が重畳している。この結果、１２７階調の液晶画素と１２８階調の液晶画素が左下から右上に向かって延びる帯状の範囲で不規則に隣接し、これら液晶画素のうち一方に生じたディスクリネーションによる暗線が図１５に示す画像全体では帯状の疑似輪郭に見える。
【００３１】
これに対して、図５（ｂ）は、本実施例のノイズフィルタ処理が行われた後の画像信号における図５（ａ）の領域２２に相当する領域２２’を解析した結果を示す。この領域２２’では、領域２２中のノイズ成分が低減された結果、本来のグラデーション状の階調変化に応じて１２７階調の液晶画素と１２８階調の液晶画素とが左下から右上に向かって延びる線上にて隣接する。すなわち、図５（ｂ）では、図５（ａ）に比べて、ディスクリネーションが発生する液晶画素数が低減されている。この結果、ディスクリネーションによる暗線が画像全体では線状の疑似輪郭に見える。帯状の疑似輪郭よりも線状の疑似輪郭の方が目立ちにくいため、画質を向上させることができる。
【００３２】
従来のノイズフィルタは、ザラツキやちらつき等、一般に画質劣化として認識されるノイズ成分の除去を目的とするため、画像信号のＭＴＦを低減させる等の弊害も同時に発生させる。これに対して、本実施例では、ノイズ成分として認識されるレベルよりも低いレベルの微小なノイズ成分のみを除去することを目的としており、画像信号のＭＴＦに影響をほとんど与えることなく、ディスクリネーションによる画質劣化を抑制することができる。
【００３３】
本実施例では、１２７階調の液晶画素と１２８階調の液晶画素とが隣接してディスクリネーションが発生する小画像領域に対してノイズフィルタ処理を行う場合について説明した。しかし、他の階調の液晶画素が隣接してディスクリネーションが発生する小画像領域に対してノイズフィルタ処理を行ってもよい。
【００３４】
また、ディスクリネーションの発生は、液晶材料の物性や温度等の要因により決まる。具体的には、標準的な液晶表示素子においては、図１６に示した状態３１の液晶画素の白表示（ＯＮ）期間と状態３２の液晶画素の黒表示（ＯＦＦ）期間とが０．３ｍｓｅｃ以上の期間において重なる場合にディスクリネーションが発生し易い。このため、隣接２画素のうち一方がＯＮで他方がＯＦＦである１または２以上のサブフレームの合計時間が０．３ｍｓ以上であるときに本実施例のノイズフィルタ処理を行うことが好ましい。０．３ｍｓを、０．５ｍｓとしたり、１ｍｓとしたりしてもよい。
【実施例２】
【００３５】
本発明の実施例２である液晶プロジェクタについて説明する。本実施例の液晶プロジェクタの構成は、実施例１と同じである。ただし、ノイズフィルタ処理ブロック７１が行うノイズフィルタ処理が実施例１とは異なる。
【００３６】
図６のフローチャートを用いて本実施例でのノイズフィルタ処理ブロック７１が行うノイズフィルタ処理としてのイプシロンフィルタ処理について説明する。ＳＴＥＰ１００１において、ノイズフィルタ処理ブロック７１は、入力画像信号に対してイプシロンフィルタ処理を行い、該イプシロンフィルタ処理後の画像信号を後段の他の処理ブロックに出力する。
【００３７】
イプシロンフィルタ処理は、小振幅かつ高空間周波成分のノイズ除去フィルタとして利用されている。入力をｘ（ｎ）とし、出力をｙ（ｎ）とすると、その特性は以下の式（１）により計算される。
【００３８】
【数１】
2019061099.tif 000003
【００３９】
式（１）において、Ｆ（ｘ）は図７（ａ）中の太線で示される関数であり、ａは移動平均フィルタ係数である。
【００４０】
図７（ｂ）は、本実施例におけるイプシロンフィルタ処理の例を示す。イプシロンフィルタ処理では、注目画素の階調ｘ（ｎ）とその周辺画素（ここでは±４画素とする）の階調との階調差を算出する。注目画素の階調ｘ（ｎ）が、周辺画素の階調との階調差がε以下である小振幅の突起または凹みに相当する場合は、Ｆ（ｘ）＝ｘとする。この場合、イプシロンフィルタ処理は単純な重み付け移動平均処理を行う。一方、注目画素の階調ｘ（ｎ）が、周辺画素の階調との階調差がεよりも大きい大振幅の突起または凹みに相当する場合は、常にＦ（ｘ）＝０となるために移動平均処理は行わない。本実施例では、例えばε＝４に設定することで、実施例1と同様のノイズフィルタ処理を行うことができる。
【実施例３】
【００４１】
本発明の実施例３である液晶プロジェクタについて説明する。本実施例の液晶プロジェクタの構成は、図８に示す画像処理部６０１’以外は実施例１と同じである。画像処理部６０１’は、実施例１で説明したノイズフィルタ処理ブロック７１の後段にオフセット部１２１を有する。
【００４２】
図９のフローチャートを用いて、本実施例においてノイズフィルタ処理ブロック７１およびオフセット部１２１が行う処理について説明する。ノイズフィルタ処理ブロック７１が行うＳＴＥＰ８０１からＳＴＥＰ８０３までのノイズフィルタ処理は実施例１と同じである。
【００４３】
ＳＴＥＰ８０３の次のＳＴＥＰ１３０１では、オフセット部１２１は、ノイズフィルタ処理後の画像信号（全画像）の各階調に対して微小なオフセット階調量を加算（または減算）する階調オフセット処理を行う。オフセット階調量αは、画像に影響を与えない小さい量であって、フレームごとに変化する量とする。例えば、α＝−１、０および＋１をフレームごとに循環的に変更する。
【００４４】
この階調オフセット処理の効果を説明する。図１０（ａ），（ｂ）はそれぞれ、図５（ｂ）に示したノイズフィルタ処理により平滑化された画像領域に対してα＝＋１とα＝−１の階調オフセット量を加算した結果を示している。実施例１で説明したように、ノイズフィルタ処理により１２７階調の液晶画素と１２８階調の液晶画素とが線上にて隣接するように平滑化される。
【００４５】
その後、フレームごとに互いに異なる階調オフセット量（α＝＋１，０，−１）を加算することで、上記線、つまりはディスクリネーションにより発生する疑似輪郭がフレームごとに上下方向にシフトする。これにより、連続するフレームにおいては疑似輪郭が画像領域内で拡散するため、疑似輪郭が目立ちにくくなる。より詳しく説明すれば、図１１に点線で示した３つの疑似輪郭がそれぞれ、実施例１で表示される疑似輪郭に比べて１／３の期間ずつしか表示されないため、それぞれの疑似輪郭の濃度も１／３に低減される。したがって、実施例１に比べて、疑似輪郭が目立たず、よりディスクリネーションによる画質劣化を抑制することができる。
【実施例４】
【００４６】
本発明の実施例４である液晶プロジェクタについて説明する。本実施例の液晶プロジェクタの構成は、実施例１と同じである。ただし、ノイズフィルタ処理ブロック７１が行うノイズフィルタ処理が実施例１とは異なる。
【００４７】
図１２のフローチャートを用いて本実施例でのノイズフィルタ処理ブロック７１が行うノイズフィルタ処理について説明する。
【００４８】
ＳＴＥＰ１６０１では、ノイズフィルタ処理ブロック７１は、入力画像信号が示す８ｂｉｔ画像をそれぞれ垂直４画素×水平４画素の矩形領域である複数の小画像領域に分割する。この際、ノイズフィルタ処理ブロック７１は、４×４画素の小画像領域をカウントする初期座標を、フレームごとに入力画像の端の座標と該端から小画像領域のサイズの半分（本実施例では２画素）だけ垂直方向および水平方向にシフトさせた座標とに切り替える。つまりは、小画像領域の位置をフレーム画像ごとに切り替える。これ以降のＳＴＥＰ８０１〜８０３のノイズフィルタ処理は実施例１と同じである。
【００４９】
小画像領域のカウントを開始する初期座標をフレームごとに切り替える効果について説明する。図１３（ａ）は、初期座標を（２，２）に設定した場合におけるノイズフィルタ処理の結果を示す。図１３（ｂ）は、初期座標を（０，０）に設定した場合におけるノイズフィルタ処理の結果を示す。初期座標を小画像領域のサイズの半分だけずらすことで、ディスクリネーションが発生する液晶画素の座標（以下、ディスクリネーション座標という）が垂直および水平方向ともに２画素ずれた結果を得ることができる。
【００５０】
これにより、投射画像としては、図５（ｂ）で示す画像と図１３（ｂ）で示す画像とが交互に表示されることとなる。そして、これらの平均として観察者に視認される投射画像では、連続するフレームにおいてディスクリネーション座標が拡散し、疑似輪郭はその濃度が低減して目立ちにくくなる。
【００５１】
なお、実施例２で説明したイプシロンフィルタ処理を、実施例３および実施例４のノイズフィルタ処理として用いてもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５２】
以上説明した各実施例は代表的な例にすぎず、本発明の実施に際しては、各実施例に対して種々の変形や変更が可能である。
【符号の説明】
【００５３】
５１  液晶プロジェクタ
７１  ノイズフィルタ処理ブロック
６０１  画像処理部
６０３  液晶表示素子
【図１】
2019061099.tif 000004
【図２】
2019061099.tif 000005
【図３】
2019061099.tif 000006
【図４】
2019061099.tif 000007
【図５】
2019061099.tif 000008
【図６】
2019061099.tif 000009
【図７】
2019061099.tif 000010
【図８】
2019061099.tif 000011
【図９】
2019061099.tif 000012
【図１０】
2019061099.tif 000013
【図１１】
2019061099.tif 000014
【図１２】
2019061099.tif 000015
【図１３】
2019061099.tif 000016
【図１４】
2019061099.tif 000017
【図１５】
2019061099.tif 000018
【図１６】
2019061099.tif 000019
【図１７】
2019061099.tif 000020
【図１８】
2019061099.tif 000021